(57)【要約】【課題】端末装置に特殊な機能を設けなくても、ユーザが商品コードを簡単に入力することができ、また、編集者側においても雑誌等に掲載する商品コードの割当てを容易に行えるようなシステムを提供する。【解決手段】雑誌５０に掲載される商品のコードを、商品の掲載ページとコマ番号とを組み合わせた簡易商品コード５４から構成する。ユーザは、この簡易商品コード５４を携帯電話機に入力し、サーバへ送信して商品を発注する。サーバは、簡易商品コードとこれに対応する商品の商品番号とが対応づけて記録された商品ファイルを備えており、携帯電話機からデータを受信すると、受信した簡易商品コードに基づき商品ファイルを検索して、当該簡易商品コードに対応する商品番号を抽出する。【選択図】    図８
2004227052.tif 000002
【特許請求の範囲】
【請求項１】
雑誌等に掲載された商品情報がユーザにより入力される端末装置と、この端末装置から通信ネットワークを介して送信されてくる前記商品情報を受け付けるサーバとを備え、前記サーバで受け付けた商品情報に基づいてユーザへ商品を提供する商品販売システムにおいて、
前記雑誌等に掲載された商品情報は、商品が掲載されているページと、当該ページにおける商品のレイアウトとによって決まる簡易商品コードからなり、
前記端末装置は、前記簡易商品コードを入力する入力手段と、入力された簡易商品コードを通信ネットワークを介して前記サーバへ送信する送信手段と、を有し、
前記サーバは、前記簡易商品コードとこの簡易商品コードに対応する商品の商品番号とが対応づけて記録された商品ファイルと、端末装置から送信された簡易商品コードを受信する受信手段と、受信した簡易商品コードに基づき前記商品ファイルを検索して当該簡易商品コードに対応する商品番号を抽出する抽出手段と、を有することを特徴とする商品販売システム。
【請求項２】
請求項１に記載の商品販売システムにおいて、
前記雑誌等には複数に分割されたコマごとに商品が掲載されており、前記簡易商品コードは、当該商品が掲載されているページと、当該商品が割り当てられたコマの番号との組み合わせからなることを特徴とする商品販売システム。
【請求項３】
請求項１または請求項２に記載の商品販売システムにおいて、
前記サーバは、抽出した商品番号を商品の提供主体へ転送し、
前記提供主体は、サーバから転送された商品番号に基づいて当該商品をユーザへ提供することを特徴とする商品販売システム。
【請求項４】
請求項３に記載の商品販売システムにおいて、
前記端末装置は、購入しようとする商品の提供主体に応じた複数種類の取引形態の選択が可能であり、
前記サーバは、端末装置において選択された取引形態に応じて、当該商品の商品番号を提供主体に転送することを特徴とする商品販売システム。
【請求項５】
請求項１ないし請求項４のいずれかに記載の商品販売システムにおいて、
前記サーバは、端末装置から受信した簡易商品コードに、当該商品が掲載された雑誌等を特定する情報、およびその他の必要な情報を付加して、簡易商品コードを標準商品コードに変換し、この標準商品コードを管理ファイルに格納することを特徴とする商品販売システム。
【請求項６】
雑誌等に掲載された商品情報をユーザが端末装置に入力し、入力した商品情報を通信ネットワークを介してサーバへ送信し、サーバで受け付けた商品情報に基づいてユーザへ商品を提供する商品販売方法において、
前記雑誌等に掲載する商品情報を、商品が掲載されているページと、当該ページにおける商品のレイアウトとによって決まる簡易商品コードとして作成し、
前記簡易商品コードと、この簡易商品コードに対応する商品の商品番号とを対応づけて、前記サーバに備えられた商品ファイルにあらかじめ記録しておき、
ユーザによって端末装置に入力された簡易商品コードを通信ネットワークを介して前記サーバへ送信し、
前記サーバは、端末装置から送信された簡易商品コードに基づき前記商品ファイルを検索して、受信した簡易商品コードに対応する商品番号を抽出することを特徴とする商品販売方法。
【請求項７】
請求項６に記載の商品販売方法において、
前記サーバは、抽出した商品番号を商品の提供主体へ転送し、前記提供主体は、サーバから転送された商品番号に基づいて当該商品をユーザへ提供することを特徴とする商品販売方法。
【請求項８】
商品情報が入力される端末装置と通信ネットワークを介して結ばれるサーバであって、
商品が掲載されている雑誌等のページと当該ページにおける商品のレイアウトとによって決まる簡易商品コードを、当該簡易商品コードに対応する商品の商品番号と対応づけて記録した商品ファイルと、
前記端末装置において商品情報として入力された簡易商品コードを当該端末装置から受信する受信手段と、
前記受信手段が受信した簡易商品コードに基づき前記商品ファイルを検索して当該簡易商品コードに対応する商品番号を抽出する抽出手段と、
を備えたことを特徴とする商品販売管理用サーバ。
【請求項９】
請求項８に記載の商品販売管理用サーバにおいて、
端末装置から受信した簡易商品コードに、当該商品が掲載された雑誌等を特定する情報、およびその他の必要な情報を付加して、簡易商品コードを標準商品コードに変換するコード変換手段と、
前記コード変換手段によって生成された標準商品コードを格納する管理ファイルと、
をさらに備えたことを特徴とする商品販売管理用サーバ。
【請求項１０】
請求項９に記載の商品販売管理用サーバに、以下の処理を実行させることを特徴とする商品販売管理プログラム。
（ａ）端末装置において商品情報として入力された簡易商品コードを当該端末装置から受信する受信処理。
（ｂ）受信した簡易商品コードに基づき、前記商品ファイルを検索して当該簡易商品コードに対応する商品番号を抽出する抽出処理。
（ｃ）端末装置から受信した簡易商品コードに、当該商品が掲載された雑誌等を特定する情報、およびその他の必要な情報を付加して、簡易商品コードを標準商品コードに変換するコード変換処理。
（ｄ）変換した標準商品コードを管理ファイルに格納する格納処理。
【請求項１１】
請求項１０に記載の商品販売管理プログラムにおいて、
前記（ｂ）で抽出された商品番号を商品の提供主体へ転送する転送処理をさらに含むことを特徴とする商品販売管理プログラム。
【発明の詳細な説明】
【０００１】
【発明の属する技術分野】
本発明は、雑誌等に掲載された商品を携帯電話機のような端末装置からの発注に基づいて販売する商品販売システムに関するものである。
【０００２】
【従来の技術】
雑誌やカタログに掲載された商品を購入するにあたり、携帯電話機のような端末装置を利用して商品の発注を行うシステムが種々提案されている。このようなシステムにおいては、購入しようとする商品を特定するために、端末装置に商品情報を入力する必要がある。従来、このような商品情報としては、雑誌等に掲載されている商品番号を使用するのが一般的である。ユーザは、この商品番号を携帯電話機へ入力してサーバへ送信することにより、商品の発注を行う（例えば、下記の特許文献１参照）。商品番号は、携帯電話機に備わるキーにより入力することができるが、携帯電話機にバーコード読取装置を設け、雑誌等に掲載されている商品番号を表すバーコードを携帯電話機で読み取って、商品番号を入力するようにしたシステムも提案されている（例えば、下記の特許文献２、特許文献３参照）。
【０００３】
【特許文献１】
特開２００２−２１６０３０号公報
【特許文献２】
特開２００２−２５９７６０号公報
【特許文献３】
特開２００２−２６９４５５号公報
【０００４】
【発明が解決しようとする課題】
しかしながら、上記のような商品番号は、膨大な量の商品の個々に割り当てられるコードであるため、一般に桁数が多く、キーにより商品番号を入力する方式では、入力に手間がかかり、場合によってはユーザが数字を読み違えて、誤った商品を指定してしまうことがある。また、商品番号それ自体は、ユーザにとっては格別の意味をもたない数字の羅列にすぎないから、これをキーで入力することにユーザは一層の煩わしさを感じる。
【０００５】
これに対して、特許文献２や特許文献３に記載されているようなバーコード読取機能を備えた携帯電話機を用いれば、携帯電話機で雑誌等のバーコードをスキャンするだけで商品番号を入力することができるため、ユーザにとっては操作が簡便となり、誤入力も未然に防止することができる。しかしながら、この方式では、携帯電話機がバーコード読取装置を搭載していることが必要であり、一般の携帯電話機はこのような装置を備えていないため、特殊な携帯電話機を保有するユーザしか利用できないという難点がある。また、携帯電話機にバーコード読取装置を設けることで、端末装置のコストが高くなるとともに、形状も大型化してしまうという問題がある。
【０００６】
一方、雑誌等に掲載される商品は固定的なものではなく、常に変更されるのが実情であるのに対し、商品番号は、ＪＡＮ（Ｊａｐａｎｅｓｅ  Ａｒｔｉｃｌｅ  Ｎｕｍｂｅｒ）コードに代表されるように、個々の商品ごとに決まっていて、ほぼ固定的なものである。したがって、雑誌等に商品や商品の紹介記事、商品番号等をレイアウトする編集者の立場からすると、掲載する全商品についてそれぞれの商品番号を確認することが必要であり、レイアウト作業に多大の手間を要することになる。
【０００７】
本発明は、上記のような課題を解決するものであって、その目的とするところは、端末装置に特殊な機能を設けなくても、ユーザが商品コードを簡単に入力することができ、また、編集者側においても雑誌等に掲載する商品コードの割当てを容易に行えるようなシステムを提供することにある。
【０００８】
【課題を解決するための手段】
本発明では、雑誌等に掲載される商品情報を、商品が掲載されているページと、当該ページにおける商品のレイアウトとによって決まる簡易商品コードから構成する。たとえば、商品が複数に分割されたコマごとに割り当てられて掲載されている場合、簡易商品コードは商品の掲載ページと、コマの配列順序を表すコマ番号との組み合わせから構成することができる。この簡易商品コードを端末装置に入力し、通信ネットワークを介してサーバへ送信する。サーバには、上記簡易商品コードとこれに対応する商品の商品番号とが対応づけて記録された商品ファイルが備わっている。サーバは、端末装置から簡易商品コードを受信すると、受信した簡易商品コードに基づき商品ファイルを検索して、当該簡易商品コードに対応する商品番号を抽出する。
【０００９】
本発明における簡易商品コードは、商品の掲載ページとレイアウトとに基づいて生成されるものであるから、桁数が少なくてすみ、これを雑誌等に掲載することで、ユーザは商品コードを簡単に入力することができるとともに、誤入力の恐れもなくなる。また、簡易商品コードは、掲載ページとレイアウトに関連する数字で表示されることから、ユーザにとって親しみ易いものとなり、数字を入力することに対する抵抗感を緩和することができて、購買を促すことにつながる。一方、雑誌等の編集者にとっては、掲載する商品の本来の商品番号を気にする必要はなく、当該商品の掲載ページとレイアウトとに基づいて機械的に簡易商品コードを割り当てていけばよいので、編集作業が非常に簡単なものとなり、ミスも少なくなる。
【００１０】
なお、本発明において、「雑誌等」には、雑誌のほかにカタログ、パンフレット、新聞、チラシ等も含まれる。また、本発明でいう「商品」とは、有形の物品のほかに、コンテンツのような無形の情報も含まれる。さらに、本発明でいう商品の「提供」とは、現実の購入に基づく有償での提供のほかに、購入を前提とした申込みに対して試供品や試聴用データ等を無償で提供する行為も含む。
【００１１】
本発明においては、サーバで抽出した商品番号を商品の提供主体へ転送し、提供主体が、サーバから転送された商品番号に基づいて当該商品をユーザへ提供するようにしてもよい。提供主体としては、例えば、ＣＤやＤＶＤ等の物品を通信販売（以下「通販」と略記する）により販売する通販会社や、音楽や映像のコンテンツをインターネットを通じてユーザの端末へ配信するコンテンツ配信会社などが考えられる。この場合、端末装置では、購入しようとする商品の提供主体に応じた複数種類の取引形態の選択が可能であり、サーバは、端末装置において選択された取引形態に応じて、当該商品の商品番号を提供主体に転送する。例えば、取引形態がＣＤやＤＶＤ等の物品の購入である場合は、商品番号としてＪＡＮコードを用いることができ、取引形態がコンテンツのダウンロードである場合は、商品番号としてコンテンツ固有のコード（曲コード等）を用いることができる。
【００１２】
また、本発明では、サーバにおいて、端末装置から受信した簡易商品コードに、当該商品が掲載された雑誌等を特定する情報（例えば雑誌種別や号番号）、およびその他の必要な情報（例えば商品種別や取引形態）を付加して、簡易商品コードを標準商品コードに変換し、この標準商品コードを管理ファイルに格納するようにしてもよい。商品販売のためには、商品を特定する情報、すなわち簡易商品コードだけで足りるが、これ以外に上記のような情報を付加することで、付加情報をログ用のデータとして後利用でき、商品の販売促進等に役立てることができる。
【００１３】
【発明の実施の形態】
以下、本発明の実施形態を図面に基づいて説明する。図１は本発明に係る商品販売システムの全体構成を示した図である。図１において、Ａはインターネット上で商品販売のサイトを運用するサイト運用会社、ＢはＣＤ、ＤＶＤ、ビデオ等の音楽・映像ソフトを通販により販売する通販会社、Ｃは音楽や映像等のコンテンツをインターネットを通じてユーザへ配信するコンテンツ配信会社、ＤはＣＤ等の試聴サービスを行う試聴サービス会社である。
【００１４】
サイト運用会社Ａには、インターネット２に接続されたサーバ１が設置されている。このサーバ１は、本発明の商品販売管理用サーバを構成し、管理ファイル１ａと商品ファイル１ｂとを備えている。なお、サーバ１にはこの他にも種々のファイルが備わっているが、図示は省略する。３はプロバイダシステムであって、ユーザの端末装置である携帯電話機４をインターネット２に接続するためのシステムである。このプロバイダシステム３により携帯電話機４はインターネット２に接続され、サーバ１へのアクセスが可能となる。通販会社Ｂには管理用サーバ５が設けられており、このサーバ５は販売管理ファイル５ａを備えている。コンテンツ配信会社Ｃには配信用サーバ６が設けられており、このサーバ６はコンテンツファイル６ａを備えている。試聴サービス会社Ｄには配信用サーバ７が設けられており、このサーバ７はコンテンツファイル７ａを備えている。これらのサーバ５〜７はインターネット２に接続されている。インターネット２は、本発明における通信ネットワークを構成する。
【００１５】
図２は、サイト運用会社Ａに設置されたサーバ１の電気的構成を示すブロック図である。なお、他のサーバ５〜７も図２と同様の構成をとる。図２において、１１はキーボード等から構成される操作部、１２は制御プログラムや各種パラメータ等を記憶したＲＯＭ、１３はデータを一時的に格納するＲＡＭ、１４は大容量の磁気ディスク装置から構成される記憶装置、１５はモニタ装置で構成される表示部、１６はインターネット２と通信を行うための通信部、１７はサーバ全体の制御を司るＣＰＵで構成される制御部である。記憶装置１４には、上述した管理ファイル１ａや商品ファイル１ｂが格納されている。以上の構成において、通信部１６は本発明における受信手段を構成し、制御部１７は本発明における抽出手段およびコード変換手段を構成する。
【００１６】
図３は、携帯電話機４の電気的構成を示すブロック図である。図３において、４１は各種キーから構成される操作部、４２は制御プログラムや各種パラメータ等を記憶したＲＯＭ、４３はデータを一時的に格納するＲＡＭ、４４は液晶ディスプレイで構成される表示部、４５は電話の音声データを処理する音声処理部、４６は音声入力部を構成するマイクロフォン、４７は音声出力部を構成するスピーカ、４８はプロバイダシステム３を介してインターネット２と通信を行う通信部、４９は携帯電話機全体の制御を司るＣＰＵで構成される制御部である。以上の構成において、操作部４１は本発明における入力手段を構成し、通信部４８は本発明における送信手段を構成する。
【００１７】
図４は、サーバ１の管理ファイル１ａに格納されるデータの一部を示した図である。管理ファイル１ａには、後述する標準商品コード（以下「標準Ｐコード」と記す）が順次格納される標準Ｐコード格納エリアが設けられている。
【００１８】
図５は、サーバ１の商品ファイル１ｂに格納されるデータの一部を示した図である。商品ファイル１ｂには、後述する簡易商品コード（以下「簡易Ｐコード」と記す）と、この簡易Ｐコードに対応する商品の商品番号とが対応づけて記録されている。商品番号は、通販会社等が独自に設定したコードであってもよいし、ＪＡＮコードをそのまま用いたものであってもよい。この商品ファイル１ｂは、商品を掲載した雑誌等が発行されるごとに、新たなものが作成される。その詳細については、後で詳しく説明する。
【００１９】
図６は、簡易Ｐコードの構成を示した図である。簡易Ｐコードは、ここでは５桁の数字からなり、以下で説明するように商品の掲載ページと、商品が割り当てられたコマの番号とにより決定される。図８は、通販商品を紹介する雑誌５０の掲載内容を概略的に示した図であり、８３ページと８４ページにわたって、新作ＣＤが掲載されている例である。各ページには、複数（３列×５行）に分割されたコマ５１が設けられており、これらのコマ５１ごとに、１つのＣＤが割り当てられている。各コマ５１には、商品であるＣＤのジャケット写真５２および紹介記事５３とともに、当該ＣＤの簡易Ｐコード５４が掲載されている。８３ページに掲載されている簡易Ｐコードは、上２桁がすべて「８３」となっている。この「８３」という数字は、８３ページに掲載された商品であることを表している。また、８４ページに掲載されている簡易Ｐコードは、上２桁がすべて「８４」となっている。この「８４」という数字は、８４ページに掲載された商品であることを表している。
【００２０】
一方、各ページにおいて、下２桁の数字はコマ５１のコマ番号を表している。すなわち、コマ５１は、各ページの左欄では上から順に「０１」「０２」「０３」「０４」「０５」のコマ番号が割り当てられ、中欄では上から順に「０６」「０７」「０８」「０９」「１０」のコマ番号が割り当てられ、右欄では上から順に「１１」「１２」「１３」「１４」「１５」のコマ番号が割り当てられている。これからわかるように、コマ番号は、コマ５１の配列順序を表したものである。なお、コマ番号を割り当てるルールは任意に決めることができる。ここでは、配列順序を縦方向としてコマ番号を割り当てているが、配列順序を横方向としてコマ番号を割り当ててもよく、要は、商品のレイアウト（コマの配列）と一定の関連性を持たせてコマ番号を割り当てればよい。
【００２１】
簡易Ｐコード５４は上述した商品の掲載ページ（上位桁）と、当該商品が割り当てられたコマ番号（下位桁）との組み合わせからなる。したがって、例えば「８３０７」という簡易Ｐコードは、８３ページの中欄の上から２番目に掲載されている商品（ＣＤ）を表し、「８４１１」という簡易Ｐコードは、８４ページの右欄の一番上に掲載されている商品を表している。なお、実際には掲載ページを示す数字として３桁を確保しているので、ページ数が２桁の場合はシステム上、先頭に「０」が付されて３桁に変換されるようになっている。したがって、例えば８３ページの左欄の一番下に掲載されている商品の簡易Ｐコード「８３０５」は、データとしては図６のように「０８３０５」として取り扱われることになる。
【００２２】
図７は、標準Ｐコードの構成を示した図である。標準Ｐコードは、簡易Ｐコードと他の情報とを合成したもので、ここでは１３桁の数字からなるが、これは一例であって、桁数は任意に選定することが可能である。先頭（左端）から１桁目と２桁目は雑誌の種別を表している。例えば、「０１」であればＣＤ関連の雑誌Ｘを表し、「０２」であればＤＶＤ関連の雑誌Ｙを表す。３桁目と４桁目は雑誌の号の種別を表している。例えば、創刊号を「０１」とし、以降発行ごとに１ずつ増加してゆく。５桁目と６桁目は商品種別を表している。例えば、「０１」であればＣＤ（アルバム）、「０２」であればＣＤ（シングル）、「０３」であればＤＶＤ、「０４」であればビデオを表す。７桁目から１１桁目までは上述した簡易Ｐコードであり、７〜９桁目は掲載ページ、１０〜１１桁はコマ番号をそれぞれ表している。１２桁目と１３桁目は商品の取引形態を表している。例えば「０１」であれば物品の購入、「０２」であればコンテンツのダウンロード、「０３」であれば音楽の試聴を表す。なお、以上のほかに、電子メールの送受信や、プログラムの実行、検索などの各種アクションを表すコードを追加することも可能である。
【００２３】
次に、以上のシステムにおいて、商品を発注してから購入するまでの手順を説明する。図９〜図１３は、携帯電話機４で商品を発注する場合の表示部４４の画面遷移を示した図である。これらの図に基づいて、まず商品発注の概略手順を説明する。最初に、携帯電話機４をインターネット２に接続してサイト運用会社ＡのＷＥＢサイトを開くと、表示部４４の画面には、図９のような初期メニュー画面が表示される。このメニュー画面において、ＣＤやＤＶＤ等を購入する場合は番号１を選択し、音楽や映像のコンテンツをダウンロードする場合は番号２を選択し、ＣＤ等を試聴する場合は番号３を選択する。なお、メニュー画面には、これら以外のメニューも表示されているが、説明は省略する。
【００２４】
今、例えば番号１を選択すると、表示部４４の画面が切り換わって、図１０のような、購入商品の指定方法の選択を促す案内画面が表示される。簡易Ｐコードで指定する場合は番号１を選択する。簡易Ｐコードを利用すれば商品を直接指定することができるが、ここでは、番号２〜４においてタイトルやアーティスト、曲名で検索して商品にたどり着くこともできるようになっている。
【００２５】
ここで、番号１を選択すると、表示部４４の画面が切り換わって、図１１のような、簡易Ｐコードの入力を促す案内画面が表示される。この画面では、簡易Ｐコードのほかに、商品が掲載されている雑誌と号を選択する選択部４４ａも表示されている。これは、例えば月刊誌の場合、当月以前発行の雑誌に掲載された商品の購入を受け付ける場合は、１つの簡易Ｐコードに対して異なる商品が存在する可能性があり、簡易Ｐコードだけでは商品の特定ができないためである。したがって、当月発行の雑誌に掲載された商品しか受け付けない運用であれば、雑誌を指定する必要はなく、選択部４４ａは不要となる。ユーザは、図１１の画面において、購入する商品の掲載誌と号を選択部４４ａで選択するとともに、当該掲載誌に記載されているその商品の簡易Ｐコードを、コード入力部４４ｂに入力する。図１２は、コード入力部４４ｂに４桁の簡易Ｐコード「８３０５」が入力された状態を示している。
【００２６】
図１２の画面で入力が完了した後、選択部４４ｃで「ＯＫ」を選択すると、表示部４４の画面が切り換わって、図１３のような、商品の内容確認と購入を促す案内画面が表示される。この画面には、入力した簡易Ｐコードに対応するＣＤの内容が表示されている。ユーザは、この画面において商品内容を確認したうえで、当該商品を購入する場合は、選択部４４ｄで「カートに入れる」を選択する。この後は、商品購入に必要な個人情報（例えば住所、氏名、電話番号、クレジットカード番号等）を入力する画面に切り換わり（図示は省略）、通常のオンラインショッピングの場合と同様の手順に従って、携帯電話機４からサーバ１へ商品の発注が行われる。
【００２７】
図１４は、以上述べた携帯電話機４における商品発注の手順を示したフローチャートである。この手順は、携帯電話機４の制御部４９（図３）が、ＲＯＭ４２に格納されたプログラムに基づいて実行する。まず、携帯電話機４をインターネット２を介してサイト運用会社ＡのＷＥＢサイトに接続すると（ステップＳ１）、前述した図９の初期メニュー画面が表示部４４に表示される（ステップＳ２）。次に、このメニュー画面において、ＣＤ／ＤＶＤ等（番号１）が選択されたか否かを判定し（ステップＳ３）、選択された場合は（ステップＳ３：ＹＥＳ）、図１０の商品指定選択画面を表示する（ステップＳ４）。そして、この画面でＰコードによる購入（番号１）が選択されたか否かを判定し（ステップＳ５）、選択された場合は（ステップＳ５：ＹＥＳ）、図１１のＰコード入力画面を表示する（ステップＳ６）。一方、Ｐコード以外が選択された場合は（ステップＳ５：ＮＯ）、タイトルやアーティスト等に基づく検索処理へ移行する（ステップＳ１２）。
【００２８】
図１１のＰコード入力画面において、この画面のコード入力部４４ｂに簡易Ｐコードが入力され、選択部４４ｃで「ＯＫ」が選択されると（ステップＳ７：ＹＥＳ）、図１３に示した商品の確認画面が表示される（ステップＳ８）。一方、選択部４４ｃで「キャンセル」が選択された場合は（ステップＳ７：ＮＯ）、処理を終了する。図１３の確認画面において、選択部４４ｄで「カートに入れる」が選択されると（ステップＳ９：ＹＥＳ）、それに続く購入操作を受け付け（ステップＳ１０）、購入操作が終了すると、携帯電話機４の通信部４８からインターネット２を介して、サイト運用会社Ａのサーバ１へデータを送信する（ステップＳ１１）。このときの送信データには、購入する商品を特定するための商品情報（掲載誌、号、簡易Ｐコード）と、購入者を特定するための個人情報（住所、氏名、電話番号、クレジットカード番号等）とが含まれる。一方、図１３の確認画面において、選択部４４ｄで「キャンセル」が選択された場合は（ステップＳ９：ＮＯ）、処理を終了する。以上によって、ＣＤやＤＶＤ等を購入する場合の一連の発注処理を終了する。その後、サイト運用会社Ａのサーバ１から、通販会社Ｂのサーバ５へ必要な情報が送信され、通販会社Ｂは受信した情報に基づき、ユーザへの商品発送や、コンビニエンスストア等でユーザが商品を受け取れるような手配を行う。
【００２９】
次に、図１４のステップＳ３において、図９のメニュー画面でＣＤ／ＤＶＤ等（番号１）が選択されなかった場合は（ステップＳ３：ＮＯ）、コンテンツダウンロード（番号２）が選択されたか否かを判定し（ステップＳ１３）、選択された場合は（ステップＳ１３：ＹＥＳ）、図１５の手順へ移行して、表示部４４に商品指定選択画面（図示省略）を表示する（ステップＳ２１）。この画面には、図１０と同様に商品の指定方法が表示される。続いて、Ｐコードによる購入が選択されたか否かを判定し（ステップＳ２２）、選択された場合は（ステップＳ２２：ＹＥＳ）、図１１と同様のＰコード入力画面を表示する（ステップＳ２３）。一方、Ｐコード以外が選択された場合は（ステップＳ２２：ＮＯ）、前記と同様に検索処理へ移行する（ステップＳ３０）。
【００３０】
Ｐコード入力画面において、簡易Ｐコードが入力され、「ＯＫ」が選択されると（ステップＳ２４：ＹＥＳ）、図１３と同様の確認画面が表示される（ステップＳ２５）。一方、Ｐコード入力画面で「キャンセル」が選択された場合は（ステップＳ２４：ＮＯ）、処理を終了する。確認画面において、「カートに入れる」が選択されると（ステップＳ２６：ＹＥＳ）、それに続く購入操作を受け付け（ステップＳ２７）、購入操作が終了すると、携帯電話機４の通信部４８からインターネット２を介して、サイト運用会社Ａのサーバ１へデータを送信する（ステップＳ２８）。このときの送信データには、ダウンロードするコンテンツを特定するための商品情報と、購入者を特定するための個人情報とが含まれる。一方、確認画面において、「キャンセル」が選択された場合は（ステップＳ２６：ＮＯ）、処理を終了する。以上によって、コンテンツをダウンロードする場合の一連の発注処理を終了する。その後、サイト運用会社Ａのサーバ１から、コンテンツ配信会社Ｃのサーバ６へ必要な情報が送信され、サーバ６は受信した情報に基づき、インターネット２を介して、携帯電話機４へコンテンツのデータを配信し、携帯電話機４にデータがダウンロードされる（ステップＳ２９）。
【００３１】
次に、図１４のステップＳ１３において、図９のメニュー画面でコンテンツダウンロード（番号２）が選択されなかった場合は（ステップＳ１３：ＮＯ）、試聴（番号３）が選択されたか否かを判定し（ステップＳ１４）、選択された場合は（ステップＳ１４：ＹＥＳ）、図１６の手順へ移行し、選択されなかった場合は（ステップＳ１４：ＮＯ）、他の処理へ移行する。図１６では、表示部４４に商品指定選択画面（図示省略）を表示する（ステップＳ３１）。この画面には、図１０と同様に商品の指定方法が表示される。続いて、Ｐコードによる購入が選択されたか否かを判定し（ステップＳ３２）、選択された場合は（ステップＳ３２：ＹＥＳ）、図１１と同様のＰコード入力画面を表示する（ステップＳ３３）。一方、Ｐコード以外が選択された場合は（ステップＳ３２：ＮＯ）、前記と同様に検索処理へ移行する（ステップＳ４３）。
【００３２】
Ｐコード入力画面において、簡易Ｐコードが入力され、「ＯＫ」が選択されると（ステップＳ３４：ＹＥＳ）、試聴する曲の確認画面（図示省略）が表示される（ステップＳ３５）。一方、Ｐコード入力画面で「キャンセル」が選択された場合は（ステップＳ３４：ＮＯ）、処理を終了する。確認画面において、試聴ＯＫが選択されると（ステップＳ３６：ＹＥＳ）、携帯電話機４の通信部４８からインターネット２を介して、サイト運用会社Ａのサーバ１へデータを送信する（ステップＳ３７）。このときの送信データには、試聴する曲を特定するための情報と、試聴者を特定するための個人情報とが含まれる。一方、確認画面において、キャンセルが選択された場合は（ステップＳ３６：ＮＯ）、処理を終了する。
【００３３】
その後、サイト運用会社Ａのサーバ１から、試聴サービス会社Ｄのサーバ７へ必要な情報が送信され、サーバ７は受信した情報に基づき、インターネット２を介して、携帯電話機４へ試聴する曲のデータを配信し、携帯電話機４にデータがダウンロードされる（ステップＳ３８）。ユーザは、配信された曲を試聴し（ステップＳ３９）、当該曲を購入するか否かを選択する（ステップＳ４０）。購入しない場合は（ステップＳ４０：ＮＯ）処理を終了し、購入する場合は（ステップＳ４０：ＹＥＳ）、所定の購入操作を行って（ステップＳ４１）、当該曲のデータをダウンロードする（ステップＳ４２）。以上によって、曲を試聴する場合の一連の処理を終了する。
【００３４】
次に、サイト運用会社Ａのサーバ１において行われる処理について説明する。図１７は、商品ファイル１ｂへデータを登録する手順を示したフローチャートである。この手順は、サーバ１の制御部１７（図２）が、記憶部１４に格納されたプログラムに基づいて実行する。前述のように、商品ファイル１ｂは、商品掲載誌の発行ごとに新規に作成されるので、その都度図１７の手順が実行されることになるが、それに先立って簡易Ｐコードの割当てが行われる。すなわち、雑誌等の編集者は、レコード会社等から近日発売予定の新作のリストを受け取り、これに基づいて掲載する商品を選定する。そして、掲載ページやレイアウト等を決め、前述した要領で商品ごとに簡易Ｐコードを割り当てる。サイト運用会社Ａはこの結果を入手し、掲載商品の簡易Ｐコードと、これに対応する商品の商品番号とを対応づけて、操作部１１から入力する。
【００３５】
サーバ１は、簡易Ｐコードおよび商品番号が入力されると（ステップＳ５１）、入力されたデータに桁数等の誤りがないかどうかをチェックし（ステップＳ５２）、入力に誤りがあれば（ステップＳ５２：ＮＯ）、表示部１５にエラー表示をして（ステップＳ５５）、ステップＳ５１へ戻り、再度入力を受け付ける。入力に誤りがなければ（ステップＳ５２：ＹＥＳ）、入力されたデータを商品ファイル１ｂに格納する（ステップＳ５３）。そして、掲載商品の全てについて入力が終了したか否かを判定し（ステップＳ５４）、入力が終了していなければ（ステップＳ５４：ＮＯ）ステップＳ５１へ戻り、次のデータの入力を受け付け、入力が終了すれば（ステップＳ５４：ＹＥＳ）、商品ファイル１ｂへの登録処理を終了する。
【００３６】
このようにして、掲載商品の簡易Ｐコードと商品番号とを商品ファイル１ｂへ登録した後、出版社から商品を掲載した雑誌が発行されると、これを見たユーザは、先に述べた要領に従って携帯電話機４を操作し、簡易Ｐコードやその他のデータを入力してサイト運用会社Ａのサーバ１へ送信し、商品を発注する。発注を受けたサーバ１は、次に述べるような手順に従って、商品販売のためのデータ処理を行う。
【００３７】
図１８は、サーバ１が携帯電話機４からデータを受信した場合の処理手順を示したフローチャートである。この手順は、サーバ１の制御部１７（図２）が、記憶部１４に格納されたプログラムに基づいて実行する。このプログラムは、本発明の商品販売管理プログラムを構成する。
【００３８】
サーバ１では、携帯電話機４からデータを受信したか否かを常時監視しており（ステップＳ６１）、データを受信すると（ステップＳ６１：ＹＥＳ）、ステップＳ６２〜Ｓ６７において、受信したデータの内容を判別する処理を行う。まず、ステップＳ６２では、受信データに含まれている雑誌の種別を判別する。雑誌の種別は、図１１の画面における選択部４４ａでのユーザの選択により携帯電話機４に読み込まれるので、この選択結果のデータに基づいて雑誌の種別を判別する。次のステップＳ６３では、受信データに含まれている雑誌の号種別を判別する。雑誌の号も、図１１の画面における選択部４４ａでのユーザの選択により携帯電話機４に読み込まれるので、この選択結果のデータに基づいて雑誌の号を判別する。次のステップＳ６４およびステップＳ６５では、受信データに含まれている雑誌の掲載ページとコマ番号を判別する。掲載ページとコマ番号は、図１２の画面においてコード入力部４４ｂにユーザが入力した簡易Ｐコードから判別することができる。次のステップＳ６６では、受信データに含まれている取引形態を判別する。取引形態は、図９の画面におけるユーザの選択により携帯電話機４に読み込まれるので、この選択結果のデータに基づいて取引形態を判別する。
【００３９】
このようにして受信データの内容を判別した後、その判別結果に基づいて、サーバ１は図７で示したような標準Ｐコードを生成する（ステップＳ６７）。すなわち、ステップＳ６２で判別した雑誌種別に基づいて先頭から１桁目と２桁目にデータをセットし、ステップＳ６３で判別した号種別に基づいて３桁目と４桁目にデータをセットする。次の５桁目と６桁目の商品種別については、携帯電話機４からの受信データには含まれておらず、簡易Ｐコードによって特定される商品に応じてシステムが自動的に付与する。７桁目〜１１桁目には、ステップＳ６４、Ｓ６５で判別した簡易Ｐコードをそのままセットする。１２桁目と１３桁目には、ステップＳ６６で判別した取引形態に基づくデータをセットする。このようにして、簡易Ｐコードに雑誌種別や号番号、商品種別、取引形態のデータが付加されることにより、簡易Ｐコードは標準Ｐコードに変換される。
【００４０】
サーバ１は、上記のようにして生成した標準Ｐコードを、図４に示したように、管理ファイル１ａの標準Ｐコード格納エリアに格納する（ステップＳ６８）。標準Ｐコード格納エリアには、サーバ１が携帯電話機４からデータを受信して標準Ｐコードを生成するたびに、標準Ｐコードが順次格納されてゆく。
【００４１】
その後、サーバ１は、携帯電話機４から受信した簡易Ｐコードに基づいて図５の商品ファイル１ｂを検索し、簡易Ｐコードに対応する商品番号を抽出する（ステップＳ６９）。そして、この抽出した商品番号を、他の必要情報とともに、商品の提供主体である通販会社Ｂ、コンテンツ配信会社Ｃ、または試聴サービス会社Ｄのサーバ５〜７へ転送する（ステップＳ７０）。商品の提供主体は、サーバ１から転送された商品番号に基づいて、当該商品をユーザへ提供する。
【００４２】
以上述べた本発明のシステムにおいては、簡易Ｐコード５４は、商品の掲載ページとコマ番号とに基づいて生成されるものであるから、桁数が少なくてすみ（図８の例では４桁）、ユーザの立場からは、入力を簡単に行えるとともに、誤入力の恐れもなくなるというメリットがある。また、簡易Ｐコードは、ページとレイアウトに関連する数字で表示されることから、ユーザにとって親しみ易いものとなり、数字の入力に対する抵抗感を緩和して、購買意欲を促進できる効果もある。一方、雑誌等の編集者の立場からは、掲載商品の本来の商品番号を気にする必要はなく、商品の掲載ページとコマ番号とに基づいて、機械的にコードを割り当てていけばよいので、編集作業が非常に簡単になるとともに、ミスも少なくなるというメリットがある。
【００４３】
また、サーバ１において、簡易Ｐコードに、雑誌種別や号番号、商品種別、取引形態などの他の情報を付加して標準Ｐコードに変換し、これを管理ファイル１ａに格納しているので、付加した情報をログ用のデータとして後利用することができる。例えば、標準Ｐコードを順次蓄積してゆき、一定量が蓄積されて時点でデータ分析を行い、ユーザの傾向や掲載効果等を確認することができ、分析結果を商品の販売促進等に役立てることができる。
【００４４】
以上の実施形態においては、商品購入にあたってユーザが携帯電話機４に入力した発注データを、サイト運用会社Ａのサーバ１へ送信し、サーバ１から通販会社Ｂ、コンテンツ配信会社Ｃ、試聴サービス会社Ｄなどの商品提供主体に設けられたサーバ５〜７へ発注データを転送し、商品提供主体からユーザへ商品を提供するシステムを例に挙げたが、本発明は、サイト運用会社Ａが自ら通販で物品を販売したり、コンテンツの配信等を行う事業者である場合にも適用が可能である。この場合は、発注データの転送は不要であって、サイト運用会社Ａから直接ユーザへ商品が提供されることになる。
【００４５】
また、上記実施形態では、端末装置として携帯電話機４を例に挙げたが、本発明では、端末装置としてＰＣ（パーソナルコンピュータ）やＰＤＡ（携帯情報端末）などを用いることも可能である。
【００４６】
【発明の効果】
本発明によれば、特殊な端末装置を用いることなく、ユーザが商品コードを簡単に入力することができるとともに、編集者側においても雑誌等に掲載する商品コードの割当てを容易に行える効果がある。
【図面の簡単な説明】
【図１】本発明に係る商品販売システムの全体構成を示した図である。
【図２】サイト運用会社に設置されたサーバの電気的構成を示すブロック図である。
【図３】携帯電話機の電気的構成を示すブロック図である。
【図４】サーバの管理ファイルに格納されるデータの一部を示した図である。
【図５】サーバの商品ファイルに格納されるデータの一部を示した図である。
【図６】簡易商品コードの構成を示した図である。
【図７】標準商品コードの構成を示した図である。
【図８】通販商品を紹介する雑誌の掲載内容を概略的に示した図である。
【図９】携帯電話機の表示部の画面を示した図である。
【図１０】携帯電話機の表示部の画面を示した図である。
【図１１】携帯電話機の表示部の画面を示した図である。
【図１２】携帯電話機の表示部の画面を示した図である。
【図１３】携帯電話機の表示部の画面を示した図である。
【図１４】携帯電話機における商品発注の手順を示したフローチャートである。
【図１５】図１４のフローチャートの続きである。
【図１６】図１４のフローチャートの続きである。
【図１７】商品ファイルへデータを登録する手順を示したフローチャートである。
【図１８】サーバが携帯電話機からデータを受信した場合の処理手順を示したフローチャートである。
【符号の説明】
１    サーバ
１ａ  管理ファイル
１ｂ  商品ファイル
２    インターネット
４    携帯電話機
５〜７  サーバ
１６  通信部
１７  制御部
４１  操作部
４８  通信部
５０  雑誌
５１  コマ
５４  簡易商品コード
Ａ    サイト運用会社
Ｂ    通販会社
Ｃ    コンテンツ配信会社
Ｄ    試聴サービス会社
【図１】
2004227052.tif 000003
【図２】
2004227052.tif 000004
【図３】
2004227052.tif 000005
【図４】
2004227052.tif 000006
【図５】
2004227052.tif 000007
【図６】
2004227052.tif 000008
【図７】
2004227052.tif 000009
【図８】
2004227052.tif 000010
【図９】
2004227052.tif 000011
【図１０】
2004227052.tif 000012
【図１１】
2004227052.tif 000013
【図１２】
2004227052.tif 000014
【図１３】
2004227052.tif 000015
【図１４】
2004227052.tif 000016
【図１５】
2004227052.tif 000017
【図１６】
2004227052.tif 000018
【図１７】
2004227052.tif 000019
【図１８】
2004227052.tif 000020